(57)【要約】【課題】本発明は知能線形マノスタットを開示した。【解決手段】第一装置主体、前記第一装置主体の中に設置される伝動装置、前記第一装置主体の中に設置される切断装置、前記第一装置主体の中に設置される移動装置及び前記第一装置主体の中に設置される固定装置を含み、前記伝動装置が前記第一装置主体の中に設置されるワーキングスペースを含み、前記ワーキングスペースの上側内壁の中に開け口が上向きの開口部が連設され、前記ワーキングスペースの下側内壁の中に昇降筐体が連設され、前記昇降筐体の中にエレベーターがスライドで設置され、前記エレベーターの上端が移動装置に接続され、本装置は連動という方式を通じて操作を実現し、その同時に歯車の噛み合わせと離脱を通じて誤動作あるいは装置内の故障で昇降板が下がらない状況で第一スライドブロックが右に移動され、さらに装置が壊れるようになることを防止する。【選択図】図１
2020006499.tif 000002
【特許請求の範囲】
【請求項１】
知能線形マノスタットは、第一装置主体、前記第一装置主体の中に設置される伝動装置、前記第一装置主体の中に設置される切断装置、前記第一装置主体の中に設置される移動装置及び前記第一装置主体の中に設置される固定装置を含み、前記伝動装置が前記第一装置主体の中に設置されるワーキングスペースを含み、前記ワーキングスペースの上側内壁の中に開け口が上向きの開口部が連設され、前記ワーキングスペースの下側内壁の中に昇降筐体が連設され、前記昇降筐体の中にエレベーターがスライドで設置され、前記エレベーターの上端が移動装置に接続され、前記エレベーターの下端に開け口が下向きの伸縮筐体が設置され、前記伸縮筐体の中に第一ねじボルトが螺合し接続され、前記昇降筐体の下側内壁の中に第一歯車筐体が設置され、前記第一ねじボルトの下端に第一歯車筐体の中に延伸する第一回転軸が固定接続され、前記第一歯車筐体の下側内壁の中に第一電機が固設され、前記第一電機の上端に回転軸を通じて第一歯車が動力で係合接続され、前記第一歯車の上端中心が前記第一回転軸の下端に固定接続され、前記第一歯車筐体の左側内壁の中に第二歯車筐体が連通設置され、前記第二歯車筐体の中に右端が前記第一歯車に動力で係合接続される第二歯車が回転で設置され、前記第二歯車筐体の左側内壁の中に第一スルーホールが連通設置され、前記第一スルーホールの左側内壁の中に第一伝動筐体が連通設置され、前記第二歯車の左端に前記第一スルーホールを貫通し前記第一伝動筐体の中に延伸する第二回転軸が固定接続され、前記第二回転軸の左端に第三歯車が固定接続され、前記第三歯車の上端に第四歯車が噛み合わせ設置され、前記第四歯車の上側内壁の中に第二スルーホールが連通設置され、前記第二スルーホールの上側内壁の中に巻線筐体が連通設置され、前記第四歯車の上端に前記第二スルーホールを貫通し且つ前記巻線筐体の中に延伸する第三回転軸が固定接続され、前記第三回転軸の上端に巻線輪が固定接続され、前記巻線輪に第一支え線が巻き設置され、前記巻線筐体の右側内壁に右側が前記開口部に連通される第一スライド筐体が設置され、前記第一スライド筐体の下端に左端が前記巻線筐体に連通される第一ガイドスライド筐体が連通設置され、前記第一スライド筐体の中にスライディングプレートがスライドで設置され、前記第一ガイドスライド筐体の下端に前記第一ガイドスライド筐体の中に延伸する第一ガイドスライドブロックが固定接続され、前記第一ガイドスライドブロックの左端と前記第一ガイドスライド筐体の左側内壁の間に第一ばねが固定接続され、前記第一支え線が前記第一ガイドスライドブロックの左端に固定接続され、前記切断装置が前記ワーキングスペースの左側内壁の中に連通設置される空胴を含み、前記空胴の左側上端の内壁の中に第二スライド筐体が連通設置され、前記第二スライド筐体の中に第一スライドブロックがスライドで設置され、前記第一スライドブロックの下側右端の端面に固定ブロックが固定設置され、前記固定ブロックの下端に切断ブロックが固定接続され、前記第一スライドブロックの下側端面の中にラックが前後対称的に且つ固定設置され、前記第二スライド筐体の上側内壁の中に通口が連通設置され、前記通口の上側内壁の中に第二ガイドスライド筐体が連通設置され、前記第二ガイドスライド筐体の中に第二ガイドスライドブロックがスライドで設置され、前記第二ガイドスライドブロックの下端に前記通口を通過し且つ前記第一スライドブロックの上側端面に固定接続される第一連接棒が固定接続され、前記第二スライド筐体の下側内壁の中に第二伝動筐体が連通設置され、前記第二伝動筐体の中に第五歯車が回転で設置され、前記第五歯車の前後両側に回転軸を通じて前後両側の前記第二伝動筐体にそれぞれ噛み合わせる第六歯車が固定接続され、前記第五歯車の下端に第七歯車が噛み合わせ設置され、前記第二伝動筐体の下側内壁の中に第三歯車筐体が設置され、前記第七歯車の下端に前記第三歯車筐体に延伸する第四回転軸が固定接続され、前記第四回転軸の下端に第八歯車が固定接続され、前記第三歯車筐体の左側内壁の中に第三スライド筐体が連通設置され、前記第三スライド筐体の中に第二スライドブロックがスライドで設置され、前記第二スライドブロックの右側端面の中に第二電機が固定設置され、前記第二電機の右端に回転軸を通じて前記第八歯車に噛み合わせる第九歯車が動力で係合接続され、前記第三スライド筐体の上側内壁の中に第三ガイドスライド筐体が連通設置され、前記第二スライドブロックの上端に前記第三ガイドスライド筐体の中に延伸する第三ガイドスライドブロックが固定設置され、前記第三ガイドスライドブロックの右端と前記第三ガイドスライド筐体の右側内壁の間に第二ばねが固定接続され、前記第三スライド筐体の下側内壁の中に第四スライド筐体が連通設置され、前記第四スライド筐体の右側内壁の中に第四ガイドスライド筐体が連通設置され、前記第四スライド筐体の中に上端が前記第二スライドブロックの左端にスライドで係合接続される第三スライドブロックがスライドで設置され、前記第三スライドブロックの右端に前記第四ガイドスライド筐体の中に延伸する第四ガイドスライドブロックが固定接続され、前記第四ガイドスライドブロックの上端と前記第四ガイドスライド筐体の上側内壁の間に第三ばねが固定接続され、前記第四スライド筐体の右側下端の内壁の中に第五スライド筐体が連通設置され、前記第五スライド筐体の中に左端が前記第三スライドブロックの下端に滑合される第四スライドブロックがスライドで設置され、前記第四スライドブロックの右端と前記第五スライド筐体の右側内壁の間に第四ばねが固定接続され、前記第四スライドブロックの右端に第二支え線が固定接続され、前記第二支え線のほかの一端が移動装置に固定接続され、前記第五スライド筐体の下側内壁の中に第五ガイドスライド筐体が連通設置され、前記第四スライドブロックの下端に前記第五ガイドスライド筐体の中に延伸する第五ガイドスライドブロックが固定接続され、前記移動装置が前記エレベーターの上端に固定設置される昇降板を含み、前記昇降板の上端に開口が上向きの保存筐体が設置され、前記第二支え線が前記昇降板の下側端面の左側に固定接続され、前記昇降板の上端左右両側の端面の中に第五スライドブロックがスライドで設置され、前記第五スライドブロックの中に後端が電機に動力で係合接続される第二ねじボルトが螺合し接続され、前記第五スライドブロックの上端に前記昇降板の上側端面にスライドで係合接続されるロッキングブロックが固定接続され、前記ロッキングブロックの中にロッキング筐体が上下へ貫通設置され、前記固定装置が前記第一装置主体の左右両側端面の下側に固定且つ対称的に設置される安定ブロックを含み、前記安定ブロックの中に戸締りボルト穴が上下貫通し設置され、前記戸締りボルト穴を通じて本装置を地面に固定させる。
【発明の詳細な説明】
【技術分野】
【０００１】
本発明は電子技術分野を取り上げて、具体的には知能線形マノスタットである。
【背景技術】
【０００２】
線形マノスタットは各種の電器にとって不可欠であり、特に電圧に要求が高い電子製品にとってとても重要であり、しかし線形マノスタットの性能の優劣は大部使用されるマイクロチップ次第であり、線形マノスタットが使用されるマイクロチップが小さいため、切断の精度要求が高く、従って操作が簡単且つ自動精確に切断する知能線形マノスタットを設計する必要があり、本装置は連動という方式を通じて操作を実現し、操作がより簡単便利になり、その同時に歯車の噛み合わせと離脱を通じて誤動作あるいは装置内の故障で昇降板が下がらない状況で第一スライドブロックが右に移動され、さらに装置が壊れるようになることを防止する。
【先行技術文献】
【特許文献】
【０００３】
【特許文献１】中国特許出願公開第103809638号明細書
【発明の概要】
【発明が解決しようとする課題】
【０００４】
本発明の目的は知能線形マノスタットを提供し、それは上記の現在の技術中の問題を解決できる。
【課題を解決するための手段】
【０００５】
本発明は以下の技術プランを通じて実現する：本発明による知能線形マノスタットは、第一装置主体、前記第一装置主体の中に設置される伝動装置、前記第一装置主体の中に設置される切断装置、前記第一装置主体の中に設置される移動装置及び前記第一装置主体の中に設置される固定装置を含み、前記伝動装置が前記第一装置主体の中に設置されるワーキングスペースを含み、前記ワーキングスペースの上側内壁の中に開け口が上向きの開口部が連設され、前記ワーキングスペースの下側内壁の中に昇降筐体が連設され、前記昇降筐体の中にエレベーターがスライドで設置され、前記エレベーターの上端が移動装置に接続され、前記エレベーターの下端に開け口が下向きの伸縮筐体が設置され、前記伸縮筐体の中に第一ねじボルトが螺合し接続され、前記昇降筐体の下側内壁の中に第一歯車筐体が設置され、前記第一ねじボルトの下端に第一歯車筐体の中に延伸する第一回転軸が固定接続され、前記第一歯車筐体の下側内壁の中に第一電機が固設され、前記第一電機の上端に回転軸を通じて第一歯車が動力で係合接続され、前記第一歯車の上端中心が前記第一回転軸の下端に固定接続され、前記第一歯車筐体の左側内壁の中に第二歯車筐体が連通設置され、前記第二歯車筐体の中に右端が前記第一歯車に動力で係合接続される第二歯車が回転で設置され、前記第二歯車筐体の左側内壁の中に第一スルーホールが連通設置され、前記第一スルーホールの左側内壁の中に第一伝動筐体が連通設置され、前記第二歯車の左端に前記第一スルーホールを貫通し前記第一伝動筐体の中に延伸する第二回転軸が固定接続され、前記第二回転軸の左端に第三歯車が固定接続され、前記第三歯車の上端に第四歯車が噛み合わせ設置され、前記第四歯車の上側内壁の中に第二スルーホールが連通設置され、前記第二スルーホールの上側内壁の中に巻線筐体が連通設置され、前記第四歯車の上端に前記第二スルーホールを貫通し且つ前記巻線筐体の中に延伸する第三回転軸が固定接続され、前記第三回転軸の上端に巻線輪が固定接続され、前記巻線輪に第一支え線が巻き設置され、前記巻線筐体の右側内壁に右側が前記開口部に連通される第一スライド筐体が設置され、前記第一スライド筐体の下端に左端が前記巻線筐体に連通される第一ガイドスライド筐体が連通設置され、前記第一スライド筐体の中にスライディングプレートがスライドで設置され、前記第一ガイドスライド筐体の下端に前記第一ガイドスライド筐体の中に延伸する第一ガイドスライドブロックが固定接続され、前記第一ガイドスライドブロックの左端と前記第一ガイドスライド筐体の左側内壁の間に第一ばねが固定接続され、前記第一支え線が前記第一ガイドスライドブロックの左端に固定接続される。
【０００６】
優選の技術プランとして、前記切断装置が前記ワーキングスペースの左側内壁の中に連通設置される空胴を含み、前記空胴の左側上端の内壁の中に第二スライド筐体が連通設置され、前記第二スライド筐体の中に第一スライドブロックがスライドで設置され、前記第一スライドブロックの下側右端の端面に固定ブロックが固定設置され、前記固定ブロックの下端に切断ブロックが固定接続され、前記第一スライドブロックの下側端面の中にラックが前後対称的に且つ固定設置され、前記第二スライド筐体の上側内壁の中に通口が連通設置され、前記通口の上側内壁の中に第二ガイドスライド筐体が連通設置され、前記第二ガイドスライド筐体の中に第二ガイドスライドブロックがスライドで設置され、前記第二ガイドスライドブロックの下端に前記通口を通過し且つ前記第一スライドブロックの上側端面に固定接続される第一連接棒が固定接続され、前記第二スライド筐体の下側内壁の中に第二伝動筐体が連通設置され、前記第二伝動筐体の中に第五歯車が回転で設置され、前記第五歯車の前後両側に回転軸を通じて前後両側の前記第二伝動筐体にそれぞれ噛み合わせる第六歯車が固定接続され、前記第五歯車の下端に第七歯車が噛み合わせ設置され、前記第二伝動筐体の下側内壁の中に第三歯車筐体が設置され、前記第七歯車の下端に前記第三歯車筐体に延伸する第四回転軸が固定接続され、前記第四回転軸の下端に第八歯車が固定接続され、前記第三歯車筐体の左側内壁の中に第三スライド筐体が連通設置され、前記第三スライド筐体の中に第二スライドブロックがスライドで設置され、前記第二スライドブロックの右側端面の中に第二電機が固定設置され、前記第二電機の右端に回転軸を通じて前記第八歯車に噛み合わせる第九歯車が動力で係合接続され、前記第三スライド筐体の上側内壁の中に第三ガイドスライド筐体が連通設置され、前記第二スライドブロックの上端に前記第三ガイドスライド筐体の中に延伸する第三ガイドスライドブロックが固定設置され、前記第三ガイドスライドブロックの右端と前記第三ガイドスライド筐体の右側内壁の間に第二ばねが固定接続され、前記第三スライド筐体の下側内壁の中に第四スライド筐体が連通設置され、前記第四スライド筐体の右側内壁の中に第四ガイドスライド筐体が連通設置され、前記第四スライド筐体の中に上端が前記第二スライドブロックの左端にスライドで係合接続される第三スライドブロックがスライドで設置され、前記第三スライドブロックの右端に前記第四ガイドスライド筐体の中に延伸する第四ガイドスライドブロックが固定接続され、前記第四ガイドスライドブロックの上端と前記第四ガイドスライド筐体の上側内壁の間に第三ばねが固定接続され、前記第四スライド筐体の右側下端の内壁の中に第五スライド筐体が連通設置され、前記第五スライド筐体の中に左端が前記第三スライドブロックの下端に滑合される第四スライドブロックがスライドで設置され、前記第四スライドブロックの右端と前記第五スライド筐体の右側内壁の間に第四ばねが固定接続され、前記第四スライドブロックの右端に第二支え線が固定接続され、前記第二支え線のほかの一端が移動装置に固定接続され、前記第五スライド筐体の下側内壁の中に第五ガイドスライド筐体が連通設置され、前記第四スライドブロックの下端に前記第五ガイドスライド筐体の中に延伸する第五ガイドスライドブロックが固定接続される。
【０００７】
優選の技術プランとして、前記移動装置が前記エレベーターの上端に固定設置される昇降板を含み、前記昇降板の上端に開口が上向きの保存筐体が設置され、前記第二支え線が前記昇降板の下側端面の左側に固定接続され、前記昇降板の上端左右両側の端面の中に第五スライドブロックがスライドで設置され、前記第五スライドブロックの中に後端が電機に動力で係合接続される第二ねじボルトが螺合し接続され、前記第五スライドブロックの上端に前記昇降板の上側端面にスライドで係合接続されるロッキングブロックが固定接続され、前記ロッキングブロックの中にロッキング筐体が上下へ貫通設置される。
【０００８】
優選の技術プランとして、前記固定装置が前記第一装置主体の左右両側端面の下側に固定且つ対称的に設置される安定ブロックを含み、前記安定ブロックの中に戸締りボルト穴が上下貫通し設置され、前記戸締りボルト穴を通じて本装置を地面に固定させる。
【発明の効果】
【０００９】
本発明の有益な効果は下記の通りである。本発明の構造が簡単で、操作が便利で、本装置を通じて切断する時、作業員がマイクロチップを前記ロッキング筐体の中に置いてクランプし、第一電機が起動され、これにより回転軸を通じて第一歯車を駆動し回転させ、これにより第一回転軸を通じて第一ねじボルトを駆動し回転させ、これにより前記第一ねじボルトとエレベーターの螺合を通じてエレベーターを駆動し下がらせ、これにより昇降板を駆動し下がらせ、この時第一歯車と第二歯車の噛み合わせを通じて第二歯車を駆動し回転させ、これにより第二回転軸を通じて第三歯車を駆動し回転させ、これにより第三歯車と第四歯車の噛み合わせを通じて第四歯車を駆動し回転させ、これにより第三回転軸を通じて巻線輪を駆動し回転させ、これにより第一支え線を緩めさせ、この時第一ガイドスライドブロックが第一ばねの弾力の作動で第一ガイドスライドブロックを駆動し右に移動させ、これによりスライディングプレートを駆動し右に移動させ、昇降板が下極限まで移動する時、この時スライディングプレートの右端が前記開口部の右側内壁に当接され、昇降板が下がる間に、第二支え線が緩める状態であり、この時第四スライドブロックが第四ばねの弾力の作動で左に移動され、これにより第三スライドブロックを押し上に移動させ、これにより第二スライドブロックを駆動し右に移動させ、昇降板が下極限まで下がる時、この時第二電機が第八歯車に噛み合わせられ、この時第二電機が起動され、これにより第二電機を駆動し回転させ、これにより第二電機と第八歯車の歯車噛み合わせを通じて第八歯車を駆動し回転させ、これにより第四回転軸が第七歯車を駆動し回転させ、これにより第五歯車を駆動し回転させ、これにより回転軸を通じて第六歯車を駆動し回転させ、これにより第六歯車とラックの歯車ラックの噛み合わせを通じてラックを駆動し移動させ、これにより第一スライドブロックを駆動し移動させ、これにより固定ブロックを通じて切断ブロックを駆動し移動させ、この時第二ねじボルトの後端にある電機が起動され、これにより第二ねじボルトを通じて第五スライドブロックを駆動し前後に移動させ、これによりロッキングブロックを駆動し前後に移動させ、第二電機と第二ねじボルトの後端にある電機の共同制御を通じて切断ブロックがマイクロチップに対する切断を実現し、切断されたマイクロチップが保存筐体の中に落ち、取り出すことが便利であり、本装置は連動という方式を通じて操作を実現し、操作がより簡単便利になり、その同時に歯車の噛み合わせと離脱を通じて誤動作あるいは装置内の故障で昇降板が下がらない状況で第一スライドブロックが右に移動され、さらに装置が壊れるようになることを防止する。
【図面の簡単な説明】
【００１０】
説明しやすいため、本発明は以下の具体的な実施例と付図を交え詳しく説明する。
【００１１】
【図１】図1は本発明の知能線形マノスタットの内部構造概略図である。
【図２】図2は図1のAの拡大概略図である。
【図３】図3は図1のBの拡大概略図である。
【図４】図4は図2のA-A方向の概略図である。
【発明を実施するための形態】
【００１２】
図1~4が示すように、本発明による知能線形マノスタットは、第一装置主体11、前記第一装置主体の中に設置される伝動装置、前記第一装置主体11の中に設置される切断装置、前記第一装置主体11の中に設置される移動装置及び前記第一装置主体11の中に設置される固定装置を含み、前記伝動装置が前記第一装置主体11の中に設置されるワーキングスペース12を含み、前記ワーキングスペース12の上側内壁の中に開け口が上向きの開口部13が連設され、前記ワーキングスペース12の下側内壁の中に昇降筐体14が連設され、前記昇降筐体14の中にエレベーター15がスライドで設置され、前記エレベーター15の上端が移動装置に接続され、前記エレベーター15の下端に開け口が下向きの伸縮筐体16が設置され、前記伸縮筐体16の中に第一ねじボルト17が螺合し接続され、前記昇降筐体14の下側内壁の中に第一歯車筐体18が設置され、前記第一ねじボルト17の下端に第一歯車筐体18の中に延伸する第一回転軸19が固定接続され、前記第一歯車筐体18の下側内壁の中に第一電機20が固設され、前記第一電機20の上端に回転軸を通じて第一歯車21が動力で係合接続され、前記第一歯車21の上端中心が前記第一回転軸19の下端に固定接続され、前記第一歯車筐体18の左側内壁の中に第二歯車筐体22が連通設置され、前記第二歯車筐体22の中に右端が前記第一歯車21に動力で係合接続される第二歯車23が回転で設置され、前記第二歯車筐体22の左側内壁の中に第一スルーホール24が連通設置され、前記第一スルーホール24の左側内壁の中に第一伝動筐体25が連通設置され、前記第二歯車23の左端に前記第一スルーホール24を貫通し前記第一伝動筐体25の中に延伸する第二回転軸26が固定接続され、前記第二回転軸26の左端に第三歯車27が固定接続され、前記第三歯車27の上端に第四歯車28が噛み合わせ設置され、前記第四歯車28の上側内壁の中に第二スルーホール29が連通設置され、前記第二スルーホール29の上側内壁の中に巻線筐体30が連通設置され、前記第四歯車28の上端に前記第二スルーホール29を貫通し且つ前記巻線筐体30の中に延伸する第三回転軸31が固定接続され、前記第三回転軸31の上端に巻線輪32が固定接続され、前記巻線輪32に第一支え線33が巻き設置され、前記巻線筐体30の右側内壁に右側が前記開口部13に連通される第一スライド筐体34が設置され、前記第一スライド筐体34の下端に左端が前記巻線筐体30に連通される第一ガイドスライド筐体35が連通設置され、前記第一スライド筐体34の中にスライディングプレート36がスライドで設置され、前記第一ガイドスライド筐体35の下端に前記第一ガイドスライド筐体35の中に延伸する第一ガイドスライドブロック37が固定接続され、前記第一ガイドスライドブロック37の左端と前記第一ガイドスライド筐体35の左側内壁の間に第一ばね38が固定接続され、前記第一支え線33が前記第一ガイドスライドブロック37の左端に固定接続される。
【００１３】
有益的には、前記切断装置が前記ワーキングスペース12の左側内壁の中に連通設置される空胴39を含み、前記空胴39の左側上端の内壁の中に第二スライド筐体40が連通設置され、前記第二スライド筐体40の中に第一スライドブロック41がスライドで設置され、前記第一スライドブロック41の下側右端の端面に固定ブロック42が固定設置され、前記固定ブロック42の下端に切断ブロック43が固定接続され、前記第一スライドブロック41の下側端面の中にラック48が前後対称的に且つ固定設置され、前記第二スライド筐体40の上側内壁の中に通口44が連通設置され、前記通口44の上側内壁の中に第二ガイドスライド筐体45が連通設置され、前記第二ガイドスライド筐体45の中に第二ガイドスライドブロック46がスライドで設置され、前記第二ガイドスライドブロック46の下端に前記通口44を通過し且つ前記第一スライドブロック41の上側端面に固定接続される第一連接棒47が固定接続され、前記第二スライド筐体40の下側内壁の中に第二伝動筐体49が連通設置され、前記第二伝動筐体49の中に第五歯車50が回転で設置され、前記第五歯車50の前後両側に回転軸を通じて前後両側の前記第二伝動筐体49にそれぞれ噛み合わせる第六歯車51が固定接続され、前記第五歯車50の下端に第七歯車52が噛み合わせ設置され、前記第二伝動筐体49の下側内壁の中に第三歯車筐体53が設置され、前記第七歯車52の下端に前記第三歯車筐体53に延伸する第四回転軸54が固定接続され、前記第四回転軸54の下端に第八歯車55が固定接続され、前記第三歯車筐体53の左側内壁の中に第三スライド筐体56が連通設置され、前記第三スライド筐体56の中に第二スライドブロック57がスライドで設置され、前記第二スライドブロック57の右側端面の中に第二電機58が固定設置され、前記第二電機58の右端に回転軸を通じて前記第八歯車55に噛み合わせる第九歯車59が動力で係合接続され、前記第三スライド筐体56の上側内壁の中に第三ガイドスライド筐体60が連通設置され、前記第二スライドブロック57の上端に前記第三ガイドスライド筐体60の中に延伸する第三ガイドスライドブロック61が固定設置され、前記第三ガイドスライドブロック61の右端と前記第三ガイドスライド筐体60の右側内壁の間に第二ばね62が固定接続され、前記第三スライド筐体56の下側内壁の中に第四スライド筐体63が連通設置され、前記第四スライド筐体63の右側内壁の中に第四ガイドスライド筐体65が連通設置され、前記第四スライド筐体63の中に上端が前記第二スライドブロック57の左端にスライドで係合接続される第三スライドブロック64がスライドで設置され、前記第三スライドブロック64の右端に前記第四ガイドスライド筐体65の中に延伸する第四ガイドスライドブロック66が固定接続され、前記第四ガイドスライドブロック66の上端と前記第四ガイドスライド筐体65の上側内壁の間に第三ばね67が固定接続され、前記第四スライド筐体63の右側下端の内壁の中に第五スライド筐体68が連通設置され、前記第五スライド筐体68の中に左端が前記第三スライドブロック64の下端に滑合される第四スライドブロック69がスライドで設置され、前記第四スライドブロック69の右端と前記第五スライド筐体68の右側内壁の間に第四ばね70が固定接続され、前記第四スライドブロック69の右端に第二支え線71が固定接続され、前記第二支え線71のほ���の一端が移動装置に固定接続され、前記第五スライド筐体68の下側内壁の中に第五ガイドスライド筐体72が連通設置され、前記第四スライドブロック69の下端に前記第五ガイドスライド筐体72の中に延伸する第五ガイドスライドブロック73が固定接続される。
【００１４】
有益的には、前記移動装置が前記エレベーター15の上端に固定設置される昇降板74を含み、前記昇降板74の上端に開口が上向きの保存筐体75が設置され、前記第二支え線71が前記昇降板74の下側端面の左側に固定接続され、前記昇降板74の上端左右両側の端面の中に第五スライドブロック76がスライドで設置され、前記第五スライドブロック76の中に後端が電機に動力で係合接続される第二ねじボルト77が螺合し接続され、前記第五スライドブロック76の上端に前記昇降板74の上側端面にスライドで係合接続されるロッキングブロック78が固定接続され、前記ロッキングブロック78の中にロッキング筐体79が上下へ貫通設置される。
【００１５】
有益的には、前記固定装置が前記第一装置主体11の左右両側端面の下側に固定且つ対称的に設置される安定ブロック81を含み、前記安定ブロック81の中に戸締りボルト穴82が上下貫通し設置され、前記戸締りボルト穴82を通じて本装置を地面に固定させる。
【００１６】
本装置を通じて切断する時、作業員がマイクロチップを前記ロッキング筐体79の中に置いてクランプし、第一電機20が起動され、これにより回転軸を通じて第一歯車21を駆動し回転させ、これにより第一回転軸19を通じて第一ねじボルト17を駆動し回転させ、これにより前記第一ねじボルト17とエレベーター15の螺合を通じてエレベーター15を駆動し下がらせ、これにより昇降板74を駆動し下がらせ、この時第一歯車21と第二歯車23の噛み合わせを通じて第二歯車23を駆動し回転させ、これにより第二回転軸26を通じて第三歯車27を駆動し回転させ、これにより第三歯車27と第四歯車28の噛み合わせを通じて第四歯車28を駆動し回転させ、これにより第三回転軸31を通じて巻線輪32を駆動し回転させ、これにより第一支え線33を緩めさせ、この時第一ガイドスライドブロック37が第一ばね38の弾力の作動で第一ガイドスライドブロック37を駆動し右に移動させ、これによりスライディングプレート36を駆動し右に移動させ、昇降板74が下極限まで移動する時、この時スライディングプレート36の右端が前記開口部13の右側内壁に当接され、昇降板74が下がる間に、第二支え線71が緩める状態であり、この時第四スライドブロック69が第四ばね70の弾力の作動で左に移動され、これにより第三スライドブロック64を押し上に移動させ、これにより第二スライドブロック57を駆動し右に移動させ、昇降板74が下極限まで下がる時、この時第二電機59が第八歯車55に噛み合わせられ、この時第二電機58が起動され、これにより第二電機59を駆動し回転させ、これにより第二電機59と第八歯車55の歯車噛み合わせを通じて第八歯車55を駆動し回転させ、これにより第四回転軸54が第七歯車52を駆動し回転させ、これにより第五歯車50を駆動し回転させ、これにより回転軸を通じて第六歯車51を駆動し回転させ、これにより第六歯車51とラック48の歯車ラックの噛み合わせを通じてラック48を駆動し移動させ、これにより第一スライドブロック41を駆動し移動させ、これにより固定ブロック42を通じて切断ブロック43を駆動し移動させ、この時第二ねじボルト77の後端にある電機が起動され、これにより第二ねじボルト77を通じて第五スライドブロック76を駆動し前後に移動させ、これによりロッキングブロック78を駆動し前後に移動させ、第二電機58と第二ねじボルト77の後端にある電機の共同制御を通じて切断ブロック43がマイクロチップに対する切断を実現し、切断されたマイクロチップが保存筐体75の中に落ち、取り出すことが便利である。
【００１７】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020006499.tif 000003
【図２】
2020006499.tif 000004
【図３】
2020006499.tif 000005
【図４】
2020006499.tif 000006